(57)【要約】      （修正有）【課題】マーキングのため連続的に出力短絡をしても、温度上昇を押える変圧器で電気ペンシル装置の製造、販売を可能にし、磁気的に電流を制限することで、太い巻線を使って発生する熱を少なくする。【解決手段】鉄、鋼、硬質金属製の加工物の表面部にマーキングする電気ペンシル装置において、前記電気ペンシル装置を構成する変圧器の構造を変圧器を構成する鉄心の中空部に一次側巻線と二次側巻線を分離して配置し、前記一次側巻線と二次側巻線との間にバイパス用鉄心を介在せしめた。【選択図】 図１
0003114871.tif 000002
【実用新案登録請求の範囲】
【請求項１】
鉄、鋼、硬質金属製の加工物の表面部にマーキングする電気ペンシル装置において、
前記電気ペンシル装置を構成する変圧器の構造を変圧器を構成する鉄心の中空部に一次側巻線と二次側巻線を分離して配置し、前記一次側巻線と二次側巻線との間にバイパス用鉄心を介在せしめることを特徴とするマーキング用電気ペンシル装置。
【請求項２】
変圧器と冷却ファンと電源スイッチとパイロットランプと電圧調節機構とコード付ペン軸とコード付極板とからなる電気ペンシル装置において、
前記変圧器の構造を変圧器を構成する鉄心の中空部に一次側巻線と二次側巻線を分離して配置し、前記一次側巻線と二次側巻線との間にバイパス用鉄心を介在せしめることを特徴とするマーキング用電気ペンシル装置。
【請求項３】
鉄、鋼、硬質金属製の加工物の表面部にマーキングする電気ペンシル装置において、
前記電気ペンシル装置を構成する変圧器の構造を変圧器を構成する鉄心を長方形状もしくはまゆ形状とし、前記鉄心の中、対向する一方の鉄心の長手部分に一次側巻線を他方の鉄心の長手部分に、二次側巻線を長手方向に延ばして捲廻することを特徴とするマーキング用電気ペンシル装置。
【請求項４】
変圧器と冷却ファンと電源スイッチとパイロットランプと電圧調節機構とコード付ペン軸とコード付極板とからなる電気ペンシル装置において、
前記電気ペンシル装置を構成する変圧器の構造を変圧器を構成する鉄心を長方形状もしくはまゆ形状とし、前記鉄心の中、対向する一方の鉄心の長手部分に一次側巻線を、他方の鉄心の長手部分に二次側巻線を長手方向に延ばして捲廻することを特徴とするマーキング用電気ペンシル装置。
【請求項５】
前記長方形状もしくはまゆ形状の鉄心の対向する一方の長手部分の鉄心に一次側巻線を積層状態に捲廻して、前記鉄心を構成する対向する長手部分を短くして鉄心の小型化を図るようにした請求項３又は請求項４記載のマーキング用電気ペンシル装置。
【考案の詳細な説明】
【技術分野】
【０００１】
本考案は、マーキング用電気ペンシル装置の分野に関するものである。
【背景技術】
【０００２】
従来マーキング用電気ペンシル装置は、文字やマーク等を書くとき、文字やマーク等を書く金属加工物を電極間で挟み込む形で通常の電気回路の概念からすると出力を短絡せしめたものであった。
【０００３】
このように出力を短絡することで大きな電流を得ることができるが、しかし無限に電流が流れては危険となるため適切な電流量に制限する必要があった。
【０００４】
通常変圧器は、変換効率が良くなるように作られているため、適切な容量の変圧器をそのまま使用すると予想以上の電流が流れ危険であった。
【０００５】
そこで電流を制限するため、変圧器の巻線を細くして前記変圧器自体に予想以上の大きな電流が流れないようにする方法はあるが、しかし発熱のため短時間の使用しかできない弊害があった。
【０００６】
前記のように巻線を細くして大きな電流が流れないものは、短時間の使用しか耐えられないものとして電気用品を製造、販売するものとしては認められなかった。
【特許文献１】特開２００２−３５６８００公開特許公報
【考案の開示】
【考案が解決しようとする課題】
【０００７】
本考案が解決しようとする課題は、マーキングのため連続的に出力短絡をしても、温度上昇を押える変圧器で電気ペンシル装置の製造、販売を可能にした。
【０００８】
さらに本考案が解決しようとする課題は、磁気的に電流を制限することで、太い巻線を使って発生する熱を少なくした。
【０００９】
また本考案が解決しようとする課題は、巻線の抵抗成分で電流を制限するため、発熱を小さくすることはできないが、巻線を鉄心の外側に露出させる構造とすることで巻線の露出面積を大きくすることができるため冷却をしやすくした。
【課題を解決するための手段】
【００１０】
本考案の課題を解決する手段としての請求項１記載の考案は鉄、鋼、硬質金属製の加工物の表面部にマーキングする電気ペンシル装置において、前記電気ペンシル装置を構成する変圧器の構造を変圧器を構成する鉄心の中空部に一次側巻線と二次側巻線を分離して配置し、前記一次側巻線と二次側巻線との間にバイパス用鉄心を介在せしめることを特徴とするマーキング用電気ペンシル装置である。
【００１１】
さらに本考案の請求項２記載の考案は、変圧器と冷却ファンと電源スイッチとパイロットランプと電圧調節機構とコード付ペン軸とコード付極板とからなる電気ペンシル装置において、前記変圧器の構造を変圧器を構成する鉄心の中空部に一次側巻線と二次側巻線を分離して配置し、前記一次側巻線と二次側巻線との間にバイパス用鉄心を介在せしめることを特徴とするマーキング用電気ペンシル装置である。
【００１２】
また本考案の請求項３記載の考案は、鉄、鋼、硬質金属製の加工物の表面部にマーキングする電気ペンシル装置において、前記電気ペンシル装置を構成する変圧器の構造を変圧器を構成する鉄心を長方形状もしくはまゆ形状とし、前記鉄心の中、対向する一方の鉄心の長手部分に一次側巻線を他方の鉄心の長手部分に、二次側巻線を長手方向に延ばして捲廻することを特徴とするマーキング用電気ペンシル装置である。
【００１３】
さらに本考案の請求項４記載の考案は、変圧器と冷却ファンと電源スイッチとパイロットランプと電圧調節機構とコード付ペン軸とコード付極板とからなる電気ペンシル装置において、前記電気ペンシル装置を構成する変圧器の構造を変圧器を構成する鉄心を長方形状もしくはまゆ形状とし、前記鉄心の中、対向する一方の鉄心の長手部分に一次側巻線を、他方の鉄心の長手部分に二次側巻線を長手方向に延ばして捲廻することを特徴とするマーキング用電気ペンシル装置である。
【００１４】
また本考案の請求項５記載の考案は、前記長方形状もしくはまゆ形状の鉄心の対向する一方の長手部分の鉄心に一次側巻線を積層状態に捲廻して、前記鉄心を構成する対向する長手部分を短くして鉄心の小型化を図るようにした請求項３又は請求項４記載のマーキング用電気ペンシル装置である。
【考案の効果】
【００１５】
請求項１記載のマーキング用電気ペンシル装置は、鉄、鋼、硬質金属製の加工物の表面部にマーキングする電気ペンシル装置において、前記電気ペンシル装置を構成する変圧器の構造を変圧器を構成する鉄心の中空部に一次側巻線と二次側巻線を分離して配置し、前記一次側巻線と二次側巻線との間にバイパス用鉄心を介在せしめるマーキング用電気ペンシル装置なので、磁気的に出力電流を制限でき、熱の発生が少ない太い巻線を使用することでマーキングのため連続的に出力短絡をしても、変圧器の温度上昇を押えられる。
【００１６】
そのため本考案の電気ペンシル装置は、長時間マーキング作業がなされても温度上昇が押えられるので、安全な電気用品として販売ができる利点を有している。
【００１７】
請求項２記載のマーキング用電気ペンシル装置は、変圧器と冷却ファンと電源スイッチとパイロットランプと電圧調節機構とコード付ペン軸とコード付極板とからなる電気ペンシル装置において、前記変圧器の構造を変圧器を構成する鉄心の中空部に一次側巻線と二次側巻線を分離して配置し、前記一次側巻線と二次側巻線との間にバイパス用鉄心を介在せしめるマーキング用電気ペンシル装置なので、磁気的に出力電流を制限でき、熱の発生が少ない太い巻線を使用することでマーキングのため連続的に出力短絡をしても、変圧器の温度上昇を押えられる。
【００１８】
そのため本考案の電気ペンシル装置は、長時間マーキング作業をしても温度上昇が押えられるので、安全な電気用品として販売ができる利点がある。
【００１９】
請求項３記載のマーキング用電気ペンシル装置は、鉄、鋼、硬質金属製の加工物の表面部にマーキングする電気ペンシル装置において、前記電気ペンシル装置を構成する変圧器の構造を変圧器を構成する鉄心を長方形状もしくはまゆ形状とし、前記鉄心の中、対向する一方の鉄心の長手部分に一次側巻線を他方の鉄心の長手部分に、二次側巻線を長手方向に延ばして捲廻するマーキング用電気ペンシル装置なので、巻線が長平方向に延ばされて巻かれており放熱効率を著しく高める利点がある。
【００２０】
請求項４記載のマーキング用電気ペンシル装置は、変圧器と冷却ファンと電源スイッチとパイロットランプと電圧調節機構とコード付ペン軸とコード付極板とからなる電気ペンシル装置において、前記電気ペンシル装置を構成する変圧器の構造を変圧器を構成する鉄心を長方形状もしくはまゆ形状とし、前記鉄心の中、対向する一方の鉄心の長手部分のに一次側巻線を、他方の鉄心の長手部分に二次側巻線を長手方向に延ばして捲廻するマーキング用電気ペンシル装置なので、巻線が放熱効果を極めて良好にする利点がある。
【００２１】
請求項５記載のマーキング用電気ペンシル装置は、前記長方形状もしくはまゆ形状の鉄心の対向する一方の長手部分の鉄心に一次側巻線を積層状態に捲廻して、前記鉄心を構成する対向する長手部分を短くして鉄心の小型化を図るようにした請求項３又は請求項４記載のマーキング用電気ペンシル装置なので、前記した請求項３又は４記載の考案の効果と同じ効果を有している。
【考案を実施するための最良の形態】
【００２２】
本考案の請求項１〜５記載のマーキング用電気ペンシル装置に係る実施の形態は、共通しているので図面にもとづき以下のとおり一括して説明する。
【００２３】
Ａは本考案マーキング用電気ペンシル装置であり以下の構成からなる。
【００２４】
本考案の要部をなす変圧器は、複数タイプのものがあり、その実施の具体的形態は以下のとおりである。
【００２５】
第１実施例の変圧器ａは、従来より公知の変圧器において使用されている一次例巻線３と二次側巻線４を鉄心１の中空部２内に組込む点においては共通している。しかし本考案の第１実施例の変圧器ａは、前記した鉄心１の中空部２内に組込む一次側巻線３と二次側巻線４との間に、バイパス用鉄心５を図６、７のように介在させるものである。
【００２６】
即ち前記バイパス用鉄心５は、鉄心１の中空部２の中間部位に形成されている中央鉄心部６と左側鉄心部７との間の中空部８内に組込まれている一次側巻線３と２次側巻線４との間に介在するものである。
【００２７】
さらに前記したバイパス用鉄心５は、前記中央鉄心部６と右側鉄心部９との間の中空部１０内に組込まれている一次側巻線３と２次側巻線４との間に前記したバイパス用鉄心５と同じ形状の鉄心５を介在させる。
【００２８】
上記のとおりバイパス用鉄心５、５は２個使用するが限定しない。
【００２９】
前記のような組立てられた第１実施例の変圧器ａは、発熱を小さくするため巻線は太くするか、出力側（二次側巻線）の電流を制限するため故意に磁気を漏らすという特長を有している。
【００３０】
前記の磁気を漏らす変圧器ａは、図７に説明されているように、バイパス鉄心５、５によって一次側巻線３に漏れ磁束１１が発生する。そのため二次側の出力を制限する構造となる。
【００３１】
１２は一次側巻線３と二次側巻線４とに発生する磁束である。
【００３２】
前記の磁気を漏らす変圧器ａは、故意に磁束を漏らす構造にすることによって、出力側の電流が増大すると漏れ磁束が増加し、二次誘導起電力が減少し、出力電流の増大が制限される機能がある。
【００３３】
本考案は、電気ペンシル装置に前記変圧器ａを使用することによって、磁気的に出力電流を制限しつつ巻線を太くすることで抵抗を小さくして温度上昇を押えた。以上が本考案の変圧器の第１実施例の構成である。
【００３４】
つぎに本考案の変圧器中、第２実施例の変圧器ｂについて説明する。
【００３５】
この変圧器ｂは、対向状の長手部１４、１４ａと、対向状の短辺部１５、１５ａと中空部１６とを有する接続状態の長方形状鉄心１３を使用する。
【００３６】
さらに前記鉄心１３の長手部１４に太い二次側巻線１７を捲廻し、他方の長手部１４ａに一次側巻線１８を捲廻する。
【００３７】
さらに前記一次側巻線１８の巻き方は、重ねないで巻くのが特長である。そのため放熱面積を広くして放熱効率をアップさせることができる。
【００３８】
さらに本考案の第３実施例の変圧器ｃについて説明する。
【００３９】
この第３実施例の変圧器ｃの特長は、前記した長手部１４、１４ａよりも短くした対向状の長手部２０、２０ａと対向状の短辺部２１、２１ａと中空部２２とを有する接続状態の長方形状の鉄心１９を使用する。
【００４０】
そして前記一方の長手部２０に二次側巻線２３を、他方の長手部２０ａに一次側巻線２４を捲廻する。
【００４１】
前記一次側巻線２４は、発熱を許容できる範囲で積層状に捲廻する。
【００４２】
そのため鉄心１９を小型化し、変圧器ｃを比例して小型化を図ることができる。
【００４３】
本考案の第４実施例の変圧器ｄにつき説明する。
【００４４】
前記変圧器ｄの鉄心２５は、全体がまゆ形状をしていることを特長とする。即ち対向する長手部２６、２６ａと湾曲状の短辺部２７、２７ａと中空部２８とを有する長手部２６、２６ａと短辺部２７、２７ａとが接続状態の鉄心２５である。
【００４５】
前記一方の長手部２６に二次側巻線２８を、他方の長手部２６ａに一次側巻線２９を夫々捲廻する。２８ａは中空部である。
【００４６】
そして前記一次側巻線２９は、放熱面積が広くなるように巻付ける。そのため放熱効率は極めて良好となる。
【００４７】
さらに本考案の第５実施例の変圧器ｅについて説明する。
【００４８】
この第５実施例の変圧器ｅの特長は、前記した長手部２６、２６ａよりも短くした対向状の長手部３１、３１ａと対向状の短辺部３２、３２ａと中空部３３とを有する接続状態のまゆ形状の鉄心３０を使用する。
【００４９】
そして前記一方の長手部３１に二次側巻線３４を、他方の長手部３１ａに一次側巻線３５を捲廻する。
【００５０】
前記一次側巻線３５は、発熱を許容できる範囲で積層状に捲廻する。
【００５１】
そのため鉄心３０を小型化し、変圧器eを比例して小型化を図ることができる。
【００５２】
さらに本考案の電気ペンシル装置Ａは、前記した各種の変圧器ａ、ｂ、ｃ、ｄ、ｅ以外に下記の構成部材からなっている。
【００５３】
３６は変圧器ａ、ｂ、ｃ、ｄ等を収納するケース、３７は冷却ファン、３８はヒューズ、３９はアース端子である。
【００５４】
４０は冷却用通風穴、４１はパイロットランプ、４２は電源スイッチ、４３は電源コード、４４は電圧調整板、４５は電圧調整ツマミ、４６は出力端子、４７はペン軸コード、４８は固定ネジ、４９はペン先５０付ペン軸である。
【００５５】
５１は出力端子、５２は極板コード、５３は極板、５４はねじである。
【００５６】
５５は足踏みコード、５６は足踏みスケッチである。
【００５７】
なお本考案の電気ペンシル装置は、定格電圧１００Ｖ、定格周波数５０−６０ＨＺ、定格電流４．５Ａ、ヒューズ５Ａのものを使用する。
【図面の簡単な説明】
【００５８】
【図１】本考案マーキング用電気ペンシル装置の斜視図である。
【００５９】
【図２】同電気ペンシル本体の背面図である。
【００６０】
【図３】同電圧調整部の正面図である。
【００６１】
【図４】同足踏みスイッチの斜視図である。
【００６２】
【図５】同ペンシル装置の要部の配線図である。
【００６３】
【図６】同装置の第１実施例の変圧器を示す斜視図である。
【００６４】
【図７】同６の変圧器の側面図である。
【００６５】
【図８】同第２実施例の変圧器を示す斜視図である。
【００６６】
【図９】同第３実施例の変圧器を示す斜視図である。
【００６７】
【図１０】同第４実施例の変圧器の斜視図である。
【００６８】
【図１１】同第５実施例の変圧器の斜視図である。
【００６９】
【図１２】同ペンシル装置の蓋体を除去した状態の一部切欠斜視図である。
【００７０】
【図１３】同ペンシル装置の蓋体を除去した状態の一部切欠斜視図である。
【符号の説明】
【００７１】
Ａ              マーキング用電気ペンシル装置
ａ              変圧器
ｂ              変圧器
ｃ              変圧器
ｄ              変圧器
ｅ              変圧器
１              鉄心
２              中空部
３              一次側巻線
４              二次側巻線
５              バイパス用鉄心
６              中央鉄心部
７              左側鉄心部
８              中空部
９              右側鉄心部
１０            中空部
１１            漏れ磁束
１２            磁束
１３            鉄心
１４、１４ａ    長手部
１５、１５ａ    短辺部
１６            中空部
１７            二次側巻線
１８            一次側巻線
１９            鉄心
２０、２０ａ    長手部
２１、２１ａ    短辺部
２２            中空部
２３            二次側巻線
２４            一次側巻線
２５            鉄心
２６、２６ａ    長手部
２７、２７ａ    短辺部
２８            二次側巻線
２８ａ          中空部
２９            一次側巻線
３０            鉄心
３１、３１ａ    長手部
３２、３２ａ    短辺部
３３            中空部
３４            二次側巻線
３５            一次側巻線
３６            ケース
３７            冷却ファン
３８            ヒューズ
３９            アース端子
４０            通風孔
４１            パイロットランプ
４２            電源スイッチ
４３            電源コード
４４            電圧調整板
４５            ツマミ
４６            出力端子
４７            ペン軸コード
４８            ネジ
４９            ペン軸
５０            ペン先
５１            出力端子
５２            コード
５３            極板
５４            ねじ
５５            足踏みコード
５６            足踏みスイッチ
【図１】
0003114871.tif 000003
【図２】
0003114871.tif 000004
【図３】
0003114871.tif 000005
【図４】
0003114871.tif 000006
【図５】
0003114871.tif 000007
【図６】
0003114871.tif 000008
【図７】
0003114871.tif 000009
【図８】
0003114871.tif 000010
【図９】
0003114871.tif 000011
【図１０】
0003114871.tif 000012
【図１１】
0003114871.tif 000013
【図１２】
0003114871.tif 000014
【図１３】
0003114871.tif 000015